(57)【要約】      （修正有）【課題】競技場や催し物会場等の観覧席に設置してベンチとしても利用しながら観客の混乱等による事故を防ぐ柵の機能を持った比較的簡便、安価で持ち運びの容易な柵兼用ベンチの提供を目的としている。【解決手段】催し物等の観覧席用の柵兼用ベンチ１であって、複数の前脚２およびその真後に配置した後脚３を備え、前脚の上端間に設置した座部４と後脚の上端間に設置した手擦り５とを備え、前脚とその真後の後脚は接地用の基台６および前脚上部と後脚とを繋ぐ水平な固定部材７により固定されており、座部の高さは８０ｃｍ以下、手擦りの高さは１２０ｃｍ以下、前脚と後脚の間隔は４０ｃｍ以上、後脚から基台の前部先端までの距離は手擦りの高さの１／２以上、横幅は手擦りの高さの２倍以上である柵兼用ベンチ。【選択図】図１
0003116990.tif 000002
【実用新案登録請求の範囲】
【請求項１】
催し物等の観覧席用の柵兼用ベンチであって、複数の前脚およびその真後に配置した後脚を備え、前脚の上端間に設置した座部と後脚の上端間に設置した手擦りとを備え、前脚とその真後の後脚は接地用の基台および前脚上部と後脚とを繋ぐ固定部材により固定されており、座部の高さは８０ｃｍ以下、手擦りの高さは１２０ｃｍ以下、前脚と後脚の間隔は４０ｃｍ以上、後脚から基台の前部先端までの距離は手擦りの高さの１／２以上、横幅は手擦りの高さの２倍以上である柵兼用ベンチ。
【請求項２】
背面に柵を備えベンチの後方を向いて着座するための請求項１に記載の柵兼用ベンチ。
【考案の詳細な説明】
【技術分野】
【０００１】
本考案は柵兼用ベンチに関し、詳しくは競技場、イベント会場、公園施設などの観覧席に設置される簡便な椅子と堅固な柵の機能を備えた柵兼用ベンチに関する。
【背景技術】
【０００２】
競技場、多目的イベントホール、公園施設などでは催し物に合わせて、平面や階段状の観覧席に簡単なベンチを設置している。固定されているものもあるが、時には、平面状に折り畳んだ収納状態とに切り替えることができる起伏式の観覧席も用いられる。このような観覧席として、下記の特許文献１乃至３に開示するものが知られている。これら特許文献に記載の観覧席においては、設置状態と収納状態との切り替えは、油圧シリンダ等の昇降作動装置を用い、観覧席を上下、前後などに移動させることにより行われる。また、特許文献４には、これらの簡易型として折り畳み状態とするのに動力源を必要とせず、緊急時に簡単な操作で折り畳むことができる観覧席が開示されている。一方、上述のような催し物会場等には、催し物の実行場所と観覧席、あるいは座席と立見席の間を分離する柵が設けられている。多数の観客が想定される場合、特に注目されているスポーツや競馬などのように、立上った観客が多数柵に沿って見物することが想定される場合は、柵の配置および強度には十分配慮して堅固なものが使用されている。通常は固定式の柵が多いが、誘導路を兼ねた簡易型の柵や、ロープを利用したものも利用されている。
【０００３】
【特許文献１】特公平６−４３７６１号公報
【特許文献２】実公平４−３１９５１号公報
【特許文献３】実開平２−１１５８５５号公報
【特許文献４】特開２００４−３２４２９８号公報
【考案の開示】
【考案が解決しようとする課題】
【０００４】
本考案においては、上述のような催し物会場等の観覧席に設置してベンチとしても利用しながら観客の誘導や混乱による事故を防ぐ柵の機能を持った比較的簡便、安価で持ち運びの容易な柵兼用ベンチの提供を目的としている。
【課題を解決するための手段】
【０００５】
本考案の柵兼用ベンチは、催し物等の観覧席用の柵兼用ベンチであって、複数の前脚およびその真後に配置した後脚を備え、前脚の上端間に設置した座部と後脚の上端間に設置した手擦りとを備え、前脚とその真後の後脚は接地用の基台および前脚上部と後脚とを繋ぐ固定部材により固定されており、座部の高さは８０ｃｍ以下、手擦りの高さは１２０ｃｍ以下、前脚と後脚の間隔は４０ｃｍ以上、後脚から基台の前部先端までの距離は手擦りの高さの１／２以上、横幅は手擦りの高さの２倍以上である柵兼用ベンチである。また、本考案のもうひとつの態様の柵兼用ベンチは、ベンチの後方を向いて着座するようにし、後脚と手擦りが形成する背面に柵を備えた上記の構造の柵兼用ベンチである。
【０００６】
本考案の柵兼用ベンチは、競技場、イベント会場等に設置される簡易型のベンチであり、図１に示すように、通常のベンチと異なり座部４は前脚２の上部付近に横に配置した棒状体、通常は１〜３本のパイプで作られている。それ故、観客は尻をそのパイプの座部４に中腰に近い状態で腰掛ける場合が多い。そして、背もたれ部は後脚３の上端を固定するように設置した手擦り５、通常は一本のパイプでできている。このような構造では、腰掛けた観客はこの手擦り５をほとんど背もたれとしては利用しないようになっている。この背もたれ部のパイプはむしろベンチ後方の観客が手擦りとして使用するように設計されている。そして、前脚２と後脚３の下部はベンチの接地部の基台６により固定され、上部は前脚２の座部付近と後脚３の中間付近にほぼ水平に設けた固定部材７、通常はパイプにより固定されている。本考案の柵兼用ベンチ１の構造上の特長は手擦り５および座部４の高さ、前脚２と後脚３の間隔すなわち本考案の柵兼用ベンチ１の奥行き、手擦り５の高さと後脚３から基台６の前部先端８までの距離との比、および手擦り５の高さとベンチの横幅との比を特定の範囲として、安定な柵兼用ベンチとしての機能を持たせたことにある。さらに、手擦りの高さを特定することにより、従来に比べ催し物等を見物するベンチ後方の立ち見の観客を多数にできるようにしたことである。
【０００７】
もうひとつの考案の態様は、図６に示すように上記柵兼用ベンチ１の後脚３と手擦り５が形成する背面に柵１０を備えた構造の柵兼用ベンチである。このベンチは背面をイベント実施場側に向け、観客はベンチの座部４に後方を向いて着座するようにする。柵１０は観客席側からの観客の侵入を防ぐとともに、イベント実施場側からのイベント用のボールなどの小道具が観客席に飛び込まないようにしている。このため、柵１０の高さはイベントの内容によって決めればよい。例えば、イベントが野球やサッカーであれば、柵の高さを２〜５ｍ程度とし、ボールが観客席飛び込み観客が怪我をしないようにする。イベントがテニスやバレーボール、遊戯などであれば、柵の高さは手擦り５と同じ程度またはもっと低くても十分である。
【考案の効果】
【０００８】
本考案の柵兼用ベンチは、容易に移動、設置ができ大きな競技場等にも、比較的小さな臨時の催し物会場や公園施設等にも利用できる。また、この柵兼用ベンチは堅固で安定した構造の柵としての機能を持ち、配置を考慮すればイベント会場等での観客の流れを制御し、不測の事故等を防止できる。特に、観客の一部がベンチとして利用していると観客が重りの役目をして柵としての効果が増すという特長がある。また、運搬、取扱いが簡単なので色々なイベント会場での使い回しにも好適である。さらに、通常の柵やベンチに較べ多くの観客が楽に催し物を観覧できるよう工夫されている。また、この柵兼用ベンチを図８に示すように公園や広場のイベント会場に連続して並べてイベント実施場所を観客席から分離するためにも利用できる。
【考案を実施するための最良の形態】
【０００９】
本考案の柵兼用ベンチの具体的な態様例を図１に従って説明する。本考案のベンチは鋼製のパイプから溶接により作製することが多いが、材料にこだわる必要はない。アルミ製パイプ、樹脂製パイプ、複合材料製パイプでも木や竹製の棒でも強度を持つようにすれば問題はない。また、形状もパイプでなくとも丸棒や角棒、細長い板、断面が多角形の筒状体などで製作してもよい。パイプの太さは強度との兼ね合いであるが、通常は５０ｍｍ程度でよい。特に、手擦り５や座部４はあまり細いと人体への感触がよくないことがあるので３０ｍｍ以上とすることが好ましい。基台６は図１では断面が長方形の筒状体を用いているがパイプなどを使用してもよい。このベンチの構造は、前脚２と後脚３が前後で対になっており、これらを基台６と座部付近の高さ位置に設置したパイプ製などの固定部材７によって固定している。この固定方法は溶接等により、いわゆるラーメン構造として接点で完全に固着するようにしておく。さらに、好ましくはパイプ７と後脚３をすじかい９によって変形しないように固定、補強しておくとよい。基台６の接地部の両端部はそれぞれ前脚および後脚より前後に突き出して接地しているほうがベンチの安定性がよく好ましい。このような前脚と後脚を固定した複数個の対、図１では４対を座部４とするパイプと手擦り５とするパイプにより固定すれば本考案の柵兼用ベンチが完成する。なお、前脚および後脚は通常垂直であるが、上部がそれぞれベンチの中心に向かって傾斜していてもよいし、直線的である必要もない。通常のベンチや椅子と同じようにデザイン性や強度を考えて設計すればよい。また、図示はしていないが、本考案の柵兼用ベンチの横方向の強度を高めるため後脚３と手擦り５、または前脚２と座部４の間等にすじかいを配置してもよい。
【００１０】
本考案の柵兼用ベンチの構造上の特長のひとつは手擦り５および座部４の高さにある。手擦り５の高さは１２０ｃｍ以下、好ましくは１１０〜７０ｃｍ、より好ましくは１１０〜８５ｃｍとする。手擦り５の高さが高すぎると観客が手を乗せて見物する際に、普通に立ったままである。しかし、上記のように低めの手擦りにすると、観客は手擦りに手を乗せ、図４，５に示すように自然に前傾姿勢をとり手擦りにもたれかかって見物する。そうすると、その観客の頭の位置が低くなり、その後に立つ観客が前方を遮られることなく見物できる。このようにすることにより、本考案の柵兼用ベンチ後方の見物可能な立ち見の観客の数を１．５〜２倍くらいに増やすことができる。一方、手擦り５の高さがあまり低いと前傾姿勢をとり難くなり、また観客の重心より低くなり、上述の範囲を外れると混雑時の柵としての機能が低下するので好ましくない。座部４の高さは８０ｃｍ以下、好ましくは６５ｃｍ以下、さらに好ましくは６５〜３０ｃｍとする。座部が高すぎると座り難いこともあるが、うしろの立ち見の観客の見物の障害になることがある。また、柵としての機能を考えた時に座っている観客の重心が低いほうが柵兼ベンチの安定性がよい。前脚２と後脚３の間隔すなわちベンチの奥行きを４０ｃｍ以上としてあるのは、ベンチに座る観客が座部４にあまり深く腰掛け、手擦り５に背中をもたれてしまうと、手擦りのうしろの立ち見客が手擦り５に前傾姿勢でもたれかかり難くなるのでこれを防ぐためである。
【００１１】
さらに、本考案の柵兼用ベンチ１は、手擦り５の高さと後脚３から基台６の前部先端８までの距離との比、および手擦り５の高さとベンチの横幅との比を特定の範囲として、安定な柵としての機能を持たせたことにある。後脚３から基台６の前部先端８までの長さは手擦り５の高さの１／２以上、好ましくは２／３以上とする。これにより本考案の柵兼用ベンチは手擦り５後方から観客の圧力により前へ押されても前へは非常に倒れ難い構造となる。特に、基台前部先端８が前脚２、すなわち座部４よりも前に出ていると座っている観客の位置が基台前部先端８よりベンチ中央付近になるので、ベンチ後方からの力に対し倒れ難さが増す。ベンチの横幅は手擦り５の高さの２倍以上である。観覧席用のベンチの横幅は一般に長いほうが安定感もありよいが、移動可能なベンチとする場合は取扱い上からあまり長くできない。現実的には１．５〜１０ｍ、好ましくは２〜８ｍとすればよい。横方向の安定性を保つには、上述のように手擦りの高さの２倍以上の長さであれば十分である。一部の立ち見客の後ろからの圧力に耐えるためには長いほうがよい。
【００１２】
図２および図３に具体的な本考案の柵兼用ベンチの設計図を示した。図２は本考案の柵兼用ベンチの側面図のみであるが、横方向は図１のような構造になっており、４ｍの長さがあり、３対の脚が２ｍおきに配置されている。材料は鉄パイプを使用し、すべて溶接で固定している。パイプには塗装をし、座部および手擦り部には装飾と感触向上を兼ねてクッション性のあるプラスチック製のカバーが施してある。図３の本考案の柵兼用ベンチも図１の本考案の柵兼用ベンチとほぼ同じであるが、基部を断面が長方形の筒で製作している。なお、図面の都合上、図３の平面図Ａおよび正面図Ｂは横方向の縮尺が縦方向の縮尺の２倍になっている。
【００１３】
図４および図５は、本考案の柵兼用ベンチをイベント会場等で観客が利用しているところを模式図的に示したものである。図４は最前列の小ベンチの後に本考案の柵兼用ベンチを配置した例である。この場合は、本考案の柵兼用ベンチは少し高めの座部としたほうがよい。このようにすると、地面は水平でも自然に観客の頭部が前ほど低くなり、大勢の観客が楽に見物できる。本考案の柵兼用ベンチは立ち見客に対する柵の機能を果たし、このベンチに座っている観客は柵の重しになって倒れ難くしている。さらに、最前列前のフェンスは観客が押し寄せることがなく、それほど堅固にする必要がなくなる。図５は最前列に本考案の柵兼用ベンチを設置した例である。この場合はベンチの座部を低めにして背の低い立ち見客にも十分見易くしてやるとよい。手擦りも多少低めにすれば立ち見で見物できる人数は増加できる。このようにすることで、立ち見客は通常使用される２〜３ｍの金網フェンス越しの見物客に比べ１．５〜２倍程度に増加できる。さらに、見易くなれば興奮した後方の観客がよく見ようと前へ覆い被さってくることも少なくなり事故防止にも役立つ。
【００１４】
上述した柵兼用ベンチの後部に、例えば図７に示すような柵を設置した、側面図が図６に示すような柵兼用ベンチで、これまでと逆向きに使用する場合もある。この場合、図６に示した座部４のように観客が逆向きに座り易い形状とすることが好ましい。柵１０は、使用目的に合わせどのような形状大きさとしてもよいが、通常はよこ幅が１〜１０ｍ、好ましくは２〜６ｍ程度とし柵兼用ベンチ１の長さと併せて作ればよい。高さも０．５〜５ｍ、好ましくは１〜３ｍとすればよい。柵１０の接地部１３は地中に差し込んで固定しても良いし、柵の面と垂直な板やパイプ等でもよい。柵兼用ベンチ１と固定する場合は接地部１３はなくてもよい。図７では、柵１０の枠１１の内部は縦縞の格子１２を備えているが、縦横の格子や網、観客の視界より低い位置などは板でもよい。
【００１５】
図８は上述の２種類の柵兼用ベンチを広場に配置してイベント会場を設営した配置図である。縦１５ｍ、横３０ｍあり、横には本考案の柵兼用ベンチ５客ずつ、縦には本考案の柵兼用ベンチ３客ずつ並べてある。縦には出入り口１６を設け、柵兼用ベンチのうちひとつは短いものである。内部がイベント実施場所１４で外部が観客席１５である。
【産業上の利用可能性】
【００１６】
本考案の柵兼用ベンチはスポーツ観戦の観客席、各種のイベント会場の観客席などの簡易的なベンチ兼柵として好適である。また、公園、歩道、広場などの簡易ベンチ、あるいは誘導路を兼ねた柵としても利用できる。また、床面に固定して使用してもよいが、移動可能なベンチ、または柵としても使用できる。
【図面の簡単な説明】
【００１７】
【図１】図１は本考案の柵兼用ベンチの斜視図である。
【図２】図２は本考案の柵兼用ベンチの側面図である。
【図３】図３は本考案の柵兼用ベンチの設計図例で、Ａは平面図、Ｂは正面図、Ｃは側面図である。
【図４】図４は本考案の柵兼用ベンチの使用例である。
【図５】図５は本考案の柵兼用ベンチの別の使用例である。
【図６】図６は本考案のもうひとつの態様の柵兼用ベンチの使用例である。
【図７】図７は本考案の柵兼用ベンチ用の柵である。
【図８】図８はイベント会場の本考案の柵兼用ベンチの配置図である。
【符号の説明】
【００１８】
１：本考案の柵兼用ベンチ、  ２：前脚、  ３：後脚、  ４：座部、  ５：手擦り、  ６：基台、  ７：前脚上部と後脚を繋ぐ固定部材、  ８：基台の前部先端、  ９：すじかい、  １０：柵、  １１：外枠、  １２：格子、  １３：接地部、  １４：イベント実施場所、  １５：観客席、  １６：出入り口
【図１】
0003116990.tif 000003
【図２】
0003116990.tif 000004
【図３】
0003116990.tif 000005
【図４】
0003116990.tif 000006
【図５】
0003116990.tif 000007
【図６】
0003116990.tif 000008
【図７】
0003116990.tif 000009
【図８】
0003116990.tif 000010